(57)【要約】  本発明は、物品を仕分する仕分装置（１０）に関し、これは前面に開いたホルダ（１２）を有し、ホルダ（１２）は、仕分された物品を受け入れる少なくとも１つの仕分コンパートメント（１４）をホルダ内に有し、ホルダ（１２）は、仕分コンパートメントをさらに細かく区分する少なくとも１つの区分要素を有する。本発明は、ドロワー（１８）を備える少なくとも１つの仕分コンパートメントを提供し、ドロワー（１８）は、引出方向に少なくとも部分的にホルダから引き出されえる。本発明は、引出方向に平行に配置される仕切（２０、２１、２２）として構成されるべき少なくとも１つの区分要素を含む。仕切はドロワーに固定されず、ドロワーが引出方向に動かされて出されるとき、それと一緒には動かず、この場合、いったん外に引き出されるとドロワーは少なくとも１つの仕切によってもはやさらに細かく区分されない。
2009526721.tif 000002
【特許請求の範囲】
【請求項１】
郵便物のような仕分されるべき物品を仕分する仕分装置であって、
好ましくは枠として作られ、前面に開いたホルダ、
仕分された物品を受け入れる、前記ホルダ内の少なくとも１つの仕分コンパートメント、および
前記少なくとも１つの仕分コンパートメントをサブコンパートメントに区分する、少なくとも１つの区分部材
を備え、
前記少なくとも１つの仕分コンパートメント（１４）は、少なくとも一部は前記ホルダ（１２）から引出方向（５２）に沿って引き出されえる、前面に開いた引出ドロワー（１８）を含み、
前記少なくとも１つの区分部材は、前記引出方向（５２）に平行に配置され、前記引出ドロワー（１８）に固定しては接続されず、前記引出ドロワー（１８）から外へ動き出るとき前記引出方向（５２）に沿っては動かないことによって、引き出された後には、前記引出ドロワー（１８）は前記少なくとも１つの仕切（２０、２１、２２）によってはもはや区分されないようにする、仕切（２０、２１、２２）として作られる
ことを特徴とする仕分装置。
【請求項２】
請求項１に記載の仕分装置において、
前記少なくとも１つの引出ドロワー（１８）は、後部領域において好ましくは複数のスロットが設けられた後壁（３０）の形成によって複数のガイドを含み、仕切（２０、２１、２２）は、前記個別ガイドまたはスロット（３２）を通ってスライドする
ことを特徴とする仕分装置。
【請求項３】
請求項２に記載の仕分装置において、
前記引出ドロワー（１８）の前記後壁（３０）内の前記スロット（３２）は、それらが前記少なくとも１つの仕切（２０、２１、２２）を導くように寸法が決められている
ことを特徴とする仕分装置。
【請求項４】
請求項２または３に記載の仕分装置において、
前記引出ドロワー（１８）の前記後壁（３０）内の前記スロット（３２）は、前記スロット（３２）の前記領域において前記後壁（３０）の厚さを実効的に増すガイドスタブ（３８）を含む
ことを特徴とする仕分装置。
【請求項５】
請求項１〜４のいずれか１項に記載の仕分装置において、
前記少なくとも１つの仕切（２０、２１、２２）は取り外し可能である
ことを特徴とする仕分装置。
【請求項６】
請求項１〜５のいずれか１項に記載の仕分装置において、
前記少なくとも１つの仕切（２０、２１、２２）は、前記引出ドロワー（１８）内の後部に配置されたその端部においてフック（４６）を有し、前記フックのフック開口（４８）は好ましくは下に向けられており、
前記引出ドロワー（１８）の前記後壁（３０）に平行に方向付けられた水平保持端または保持棒（５０）が前記ホルダ（１２）内に設けられ、前記仕切（２０、２１、２２）の前記フック（４６）が前記水平保持端または保持棒（５０）に係合することによって、前記係合された状態では、前記仕切（２０、２１、２２）は前記引出方向（５２）に前記引出ドロワー（１８）と共には動かない
ことを特徴とする仕分装置。
【請求項７】
請求項６に記載の仕分装置において、
前記フック（４６）はその外側（４７）において、丸められ、または面取りされ、または前記保持棒または保持端は前記引出ドロワー（１８）に面する側において、丸められ、または面取りされることによって、前記フック開口（４８）が前記保持棒（５０）または前記保持端の周りで係合するまで、前記仕切（２０、２１、２２）および前記保持棒（５０）および前記保持端が互いに対して動くとき、前記フック（４６）は、前記保持端または保持棒（５０）から滑って外れる
ことを特徴とする仕分装置。
【請求項８】
請求項１〜７のいずれか１項に記載の仕分装置において、
前記少なくとも１つの仕切について、好ましくはスロットタイプの少なくとも１つの支持マウント（６０）を有する支持部（５４）であって、前記支持部（５４）は、前記ホルダ（１２）に対して静止しており、前記少なくとも１つの支持マウント（６０）は、前記引出ドロワー（１８）の引出動きのときは、前記少なくとも１つの仕切（２０、２１、２２）をその空間的向きで保持するよう作られている
ことを特徴とする仕分装置。
【請求項９】
請求項８に記載の仕分装置において、
前記支持部（５４）は、前記少なくとも１つの支持マウント（６０）を調整することによって、前記支持マウント（６０）によって支持される前記仕切（２０、２１、２２）の空間的向きおよび／または空間的位置が調整される調整機構を有する
ことを特徴とする仕分装置。
【請求項１０】
請求項１〜９のいずれか１項に記載の仕分装置において、
前記仕切（２０、２１、２２）は、前記引出ドロワー（１８）内の対応する突起マウント（３４）と協働することによって、前記突起（４４）が、前記引出ドロワー（１８）の押し込まれた状態においては突起マウント（３４）内に保持され、前記引出ドロワー（１８）が引き出されたときには、前記突起マウント（３４）から解放される、突起（４４）を有する
ことを特徴とする仕分装置。
【請求項１１】
請求項１０に記載の仕分装置において、
前記少なくとも１つの仕切（２０、２１、２２）の前記突起（４４）は、前記引出ドロワー（１８）の前記引出方向（５２）の前方、好ましくはその下部端において提供される
ことを特徴とする仕分装置。
【請求項１２】
請求項１１に記載の仕分装置において、
前記少なくとも１つの仕切（２０、２１、２２）の前記突起（４４）および／または前記対応する突起マウント（３４）は、面取りされるか、または丸められることによって、前記引出ドロワー（１８）を引き出すときは、滑って外れる
ことを特徴とする仕分装置。
【請求項１３】
請求項１０〜１２のいずれか１項に記載の仕分装置において、
前記少なくとも１つの仕切（２０、２１、２２）の前記突起（４４）の、前記引出ドロワー（１８）の前記引出方向（５２）の後方に配置された前記仕切（２０、２１、２２）の前記端部（４３）からの距離（４９）は、前記突起マウント（３４）の、前記引出ドロワー（１８）の前記後壁（３０）からの距離（３５）よりも長いことによって、前記少なくとも１つの仕切（２０、２１、２２）は、前記引出ドロワー（１８）の前記後壁（３０）にある開口またはスロット（３２）を通して突出する
ことを特徴とする仕分装置。
【請求項１４】
請求項１〜１３のいずれか１項に記載の仕分装置において、
前記少なくとも１つの仕切（２０、２１、２２）は、射出成形されたプラスチック部品として作られる
ことを特徴とする仕分装置。
【請求項１５】
請求項１〜１４のいずれか１項に記載の仕分装置を用いた、特に手紙のような郵便物を仕分する郵便仕分装置。
【発明の詳細な説明】
【技術分野】
【０００１】
本発明は、前面に開いたホルダと、仕分された物品を受け入れるためのホルダ内の少なくとも１つの仕分コンパートメントと、仕分コンパートメントをサブコンパートメントに区分するための少なくとも１つの区分部材とを有する、仕分されるべき物品、特に郵便物の仕分のための仕分装置に関する。
【背景技術】
【０００２】
仕分装置は、郵便物の仕分のために特に用いられる。例えば、既知の装置は、仕分コンパートメントを形成する、棚のコンパートメントのような水平区分材を持った棚状の本体を含む。個々の仕分コンパートメントは、固定された区分壁によって区分され、前面に開いた個々のサブコンパートメントが形成される。
【０００３】
例えば、郵便の仕分の場合、個々の配達区域が個々のサブコンパートメントに関連付けられる。ユーザは、順番付けられていないかたちで存在する郵便を、配達区域によってサブコンパートメント群へ仕分する。仕分を完了した後で、ユーザは、それぞれのサブコンパートメントから郵便物を取り出し、それらを例えば自分の郵便袋に入れ、または配達区域の順に他の輸送ユニットに渡す。郵便は既にこのようにして仕分がなされ、輸送ユニットから取り出されて配達区域の順に配達されえる。
【発明の開示】
【発明が解決しようとする課題】
【０００４】
個々のサブコンパートメントのサイズは、固定された区分部材によって、固定されて事前設定される。しかし異なる配達区域への郵便の量は、通常、異なるので、ある配達区域の郵便の量が、その区域のためのサブコンパートメントに収まらないことが起こりえる。
【０００５】
郵便物が個々のサブコンパートメントから取り出され、輸送ユニットまたは郵便袋に入れられるとき、ユーザは全てのコンパートメントを空にし、それに含まれていた郵便物を袋または輸送ユニットに入れなければならない。したがってそれぞれのサブコンパートメントは、個別のアクセスステップを必要とする。
【課題を解決するための手段】
【０００６】
本発明の目的は、簡単で時間の節約ができる仕分を可能にする仕分（sorting）装置（installation）を提供することである。この目的は、請求項１の特徴を有する仕分装置によって達成される。従属項は、好ましい実施形態に関する。
【０００７】
本発明による仕分装置を用いれば、少なくとも１つの仕分コンパートメントは、例えば少なくとも一部は伸縮レール上でホルダから引き出されえる引出ドロワーを有する。引出ドロワーが引き出されたときに落ちることがないように、引出の境界には対応する受け面（abutment）が設けられえる。
【０００８】
本発明による仕分装置は、好ましくは前面に開いた引出ドロワーを有する少なくとも１つの仕分コンパートメントを有する。もし複数の仕分コンパートメントが提供されるなら、有利にはそれら全てが本発明によって設計された引出ドロワーを有する。しかし個別の仕分コンパートメントが引出ドロワーを一つも持たず、この点で本発明によって設計されていない実施形態も可能である。そうではないと明記されない限り以下においては、「仕分装置」という語は、本発明にしたがって設計された引出ドロワーを持つ仕分コンパートメントとして理解されたい。
【０００９】
引出ドロワーを持つ仕分コンパートメントの区分のために提供される、少なくとも１つの区分部材は、引出ドロワーの引出方向に平行に配置される仕切として設計され、これは引出ドロワーに固定して接続されず、引出方向に引出ドロワーが外に出るときは一緒に動かないことによって、引出ドロワーは、外に出された後は、もはや少なくとも１つの仕切によって区分されない。よって、仕分コンパートメントを形成する引出ドロワーは、引き出されていない状態では、仕切によって個々のサブコンパートメントに区分される一方、引出ドロワーが引き出されると、仕切は一緒には動かず、その結果、引出ドロワーを引き出すプロセスのあいだに区分が解消される。引き出された状態においては、したがって仕分コンパートメントを形成する引出ドロワーは、もはや区分されていない。
【００１０】
郵便物の仕分を参照して機能が説明される。引出ドロワーが仕切によって区分されている限り、ユーザは、仕切によって区分されている引出ドロワーに郵便物を仕分する。例えば、仕切によって形成されている個々のサブコンパートメントは、個々の郵便配達区域と関連付けられえる。郵便の総量を全て仕分し終わった後、ユーザは引出ドロワーを前に引き出す。仕切は、この引き出す動きと一緒には動かず、その結果、サブコンパートメントへの区分が解消される。それにもかかわらず郵便物は、配達区域によって順番付けられたまま引出ドロワー内に留まる。郵便物はこんどはユーザによって横方向に一緒にまとめられるように押さえつけられ、単一の仕事ステップで引出ドロワーから取り出され、郵便袋または輸送ユニット（transport unit）内に置かれる。
【００１１】
したがって仕分されるべき物品を引出ドロワーから取り出すことは、多数の個別のコンパートメント群が空にされなければならないときより、ずっと時間がかからない。
【００１２】
本発明は例えば、郵便配達人の配達区域によって郵便物を仕分するのに特に適する。しかし本発明は、仕分されるべき物品が区分された所に入れられ、後にこの区分の順番でさらに処理されなければならない、あらゆる仕分プロセスにおいて有利に用いられえる。
【００１３】
本発明は、本発明によって設計された複数の仕切が仕分コンパートメント内に提供されるときに特に効果的なことがわかる。
【００１４】
引出ドロワーは、引き出された状態においては、もはや一つも区分を有さず、この点で仕分コンパートメントの引出ドロワーは対応しないことが特に有利である。しかし引出ドロワー当たり２つ以上の仕分コンパートメントが提供され、一方、個々の仕分コンパートメントは引出ドロワーの引き出されていない状態においては仕切によって区分され、引き出された後には区分が存在しないという設計も可能である。よって例えば安定性の理由で、引出ドロワーが固定された中央壁をその中央に有し、それにより引出ドロワーが２つの仕分コンパートメントを中央壁の左右に含むことも有利でありえる。引出ドロワーを複数の仕分コンパートメントにこのように区分することは、例えば、引出ドロワーを引き出した後、すなわちサブコンパートメントへの区分をなくした後、区分されていないコンパートメントが大きすぎて、その内容物を取り出すことが扱いにくくなるような、非常に長い引出ドロワーについては理にかなってもいる。
【００１５】
仕切と違って引出ドロワーの引出動きと共に動くこのような中央壁は、移動可能にもされえる。例えば移動可能な中央壁は、必要に応じて引出ドロワーの異なる位置にネジ止めで固定されえる。よって仕分コンパートメントの全体のサイズは、郵便袋の典型的な容積に対応して調整されえる。引出ドロワー内に固定された、または固定可能な複数の中央壁も提供されえる。
【００１６】
引出ドロワーの引出プロセスの際に仕切が一緒に動かないように、ガイドまたは開口が有利には引出ドロワーの後部壁側に位置し、引出ドロワーが引き出されるとき仕切は、これらガイドまたは開口を通してスライドしえる。特に好ましい局面において引出ドロワーの後部壁はスロットを有し、個々のスロットは、仕切がスロットを通してスライドできるように設計される。この局面においてガイドまたはスロットの個数は、所望の仕切の個数に少なくとも対応する。個別の仕切の数および間隔が、用いられるガイドまたはスロットの選択によって選ばれえるように、多数のガイドまたはスロットが所定の間隔で提供される局面は特に融通性に富む。
【００１７】
本局面のさらなる発展形において、ガイドまたはスロットは、それらが仕切を導くように大きさが決められる。この目的のために、ガイドまたはスロットの横方向の幅は、その幅が個々の仕切の厚さに実質的に対応し、かつ仕切を締め付けることがないように特に選択されえる。
【００１８】
引出ドロワーの後部壁にあるガイドまたはスロットは、仕切の空間的範囲を規定する。仕切を鉛直方向にアラインさせること（vertical alignment）、すなわちスロットまたはガイドを鉛直方向にアラインさせることは、空間について経済的である。しかしガイドまたはスロット、よって仕切が、斜めにアラインされる局面も可能である。
【００１９】
引出ドロワーの後壁内のスロットは、有利なさらなる発展形において、例えば引出ドロワーの後壁において外に向かって提供され、特に引出ドロワーが引き出されるときに仕切の横方向の支持をおこなうガイドスタブを有する。加えてこのようなガイドスタブは、スロットが設けられた後壁の安定化のために役立つ。ガイドスタブは、例えば後壁が薄い厚さであるときに、後壁の実効的な厚さを増すように設計されえる。
【００２０】
仕切は、それらが仕分装置から取り外されえるように特に好ましくは作られる。このようにしてユーザは、必要に応じ需要に依存して、異なる個数の仕切を異なる間隔で挿入しえる。
【００２１】
引出ドロワーの引出プロセスと一緒に仕切が動かないことを確実にするために、仕切はホルダに、またはホルダに固定して接続された要素に接続される。解除式仕切の場合、この接続も解除可能にされる。例えばこれは、掛け金要素、磁気的接続、または関節的接続（articulated connections）の問題でありえる。引出ドロワーの引出方向の後方に配置され、ホルダに固定して接続される保持端または保持棒と協働するフックを少なくとも１つの仕切が有する実施形態が特に好ましく、ここで保持端または保持棒は、引出ドロワーの後壁に平行にアラインされ、その挿入された状態において仕切のフックの鉛直位置に対応するレベルに配置される。もしこのフックが保持棒または保持端に引っかけられているなら、仕切は引出方向に動くことができない。もし引出ドロワーが引き出されるなら、フックは仕切を保持棒または保持端に保持し、その結果、引出ドロワーは仕切を伴わないで動き、仕切はその区分けをする機能を失う。保持端または保持棒は、好ましくは水平方向にアラインされ、仕切のフックの開口は、下向きに面する。それからフックが保持端または保持棒に引っかかることは、仕切の重量によって発生され保持される。
【００２２】
「フック」という語は、保持棒または保持端を囲むように係合する切り欠きを有する要素を一般的に指す。
【００２３】
この実施形態の特に好ましいさらなる発展形は、フックがその外側において面取りされ、または丸められ、または保持棒または保持端が引出ドロワーと面する側において面取りされ、または丸められていることを特徴とする。そのような局面において、仕切および保持棒または保持端が互いに対して動くとき、仕切のフック開口が保持棒または保持端の周りに係合するまで、フックは、保持端または保持棒で外れて滑る。フック開口が下向きに面する実施形態については特に、それから仕切は下向きに落ち、その結果、フックは保持端または保持棒において引っかかる。
【００２４】
このような有利な実施形態について例えば次のプロシージャが続きえる。引出ドロワーの引き出された状態において、仕切は、例えば所望の個数、所望の間隔で引出ドロワーに挿入されえる。例えばそれらは、引出ドロワーの後部領域におけるガイドまたはスロットによって保持される。こんどは引出ドロワーは、仕切と一緒にホルダ内に押し込まれる。押し込みプロセスの最後において、仕切のフックは、保持棒または保持端上に入り込み、面取りのために少なくとも仕切の後部領域において上向きに動く。もし引出ドロワーがさらに押し込まれると、フックは、保持棒または保持端の周りに係合しえ、それによって持ち上げられた仕切は下向きに落ち、フックは保持棒または保持端と係合するようになる。よって仕切は、引出方向に堅固に固定され、もはや引出ドロワーと一緒には動きえない。仕分されるべき物品は、仕切によって囲まれた引出ドロワーのサブコンパートメント内に仕分されえる。仕分されるべき物品が仕分された後に、引っかかっている仕切を動かすことなく、引出ドロワーを外に出すことがおこなわれ、その結果、仕切はその区分けする機能を失う。
【００２５】
仕切を支持するために、特に仕切をその空間的な方向に保持するために、引出ドロワーは引き出されている一方で、仕分装置のホルダについて静止した支持部が提供されえ、引出ドロワーの引出プロセスのあいだ、その支持部の中に仕切が挿入される。これは好ましくは、スロット状の支持マウントが仕切について提供される支持部である。例えば、この支持部は、対応する実施形態の保持棒または保持端の領域内に提供されえ、このスロットは、仕切の所望の空間的向きに対応する向きにアラインされえる。
【００２６】
この局面の好ましいさらなる発展形は、仕切のための支持マウントを調整するよう設計される調整機構を有する支持部を提供する。設計に依存して、調整機構は、引出ドロワーの後壁のスロットに平行な支持部のスロットの角度アラインメント（angular alignment）を調整する役目、および／または引出ドロワーの後壁のスロットに対して支持部のスロット位置を正確に設定する役目を果たしえる。
【００２７】
この目的のために、支持部のスロットの全体がホルダに対して数ミリメートルの単位で移動されえる、例えば調整ネジが提供されえる。取り扱いやすいさらなる発展形において、調整ネジは、例えば枠状のホルダの側壁内の穴によって、横からアクセス可能である。
【００２８】
引出ドロワー内の個々の仕切は、仕分プロセスのあいださまざまなやり方で仕切が堅固に保持されるように、仕分プロセスのあいだ、引出ドロワーの後壁領域内のガイドまたはスロットによってのみ保持されないのが特に好ましい。この目的のために、引出ドロワーが押し込まれているときには、引出ドロワーの対応する突起マウントに係合し、引出ドロワーが引き出されると突起マウントから解放される突起が、それぞれの仕切に特に提供されえる。
【００２９】
引出ドロワーの挿入された状態において、このように仕切は、引出ドロワーの後部領域のガイドまたはスロット、および任意選択として本支持部によって支持されるだけではなく、加えて突起マウントに係合する突起によっても支持される。よって仕切の区分けによって形成されたサブコンパートメントのうちの１つに物が入れられ過ぎたときにも、仕切はその位置を変えないことが特に確実にされる。
【００３０】
この目的のために、突起は、仕切の下部端において仕切の領域内において、かつ引出ドロワーの引出方向の前において特に有利に提供され、突起マウントは、引出方向の前における引出ドロワーの領域内に、引出ドロワーの基台内にそれにしたがって配置される。
【００３１】
対応する突起マウントから少なくとも１つの仕切の突起が障害なく滑り出すことを確実にするために、引出ドロワーが引き出されるとき、突起および突起マウントが互いにスライドして外れるように、突起および／または突起マウントが面取りされる、有利なさらなる発展形が提供される。突起の後方に向く端部は、仕切の下部端において、その前部領域に提供され、例えば特に対応するように面取りされ、または丸められえる。
【００３２】
もし少なくとも１つの仕切が、突起マウントに受け入れられる突起と、引出ドロワーの後ろ側にあるガイドまたはスロットとの両方によって保持されるべきなら、引出ドロワーの引出方向の後方における仕切の端部からの、仕切の突起の距離は、突起マウントの、引出ドロワーの後壁からの距離よりも大きい。引出ドロワーの押し込まれた状態において、少なくとも１つの仕切の突起が突起マウントに係合するとき、仕切は、引出ドロワーの後部側にあるガイドまたはスロットに後部領域において係合することがこのようにして確実にされる。仕切は、このようにして少なくとも２つの点において堅固に支持される。
【００３３】
このような設計物と共に仕切は以下のように用いられえる。すなわち引出ドロワーは、まず引き出される。仕切が所望の間隔で、所望の個数で挿入され、仕切のそれぞれの突起は、引出ドロワーの突起マウントに入り、引出ドロワーの後ろ側にあるガイドまたはスロットへ差し込まれる。このようにして固定される仕切を持つ引出ドロワーは、ホルダへ押し戻される。
【００３４】
仕切は異なるように、例えば格子状構造として作られえる。金属またはプラスチックの板が特に簡単であり、応用に具合がよい。
【００３５】
少なくとも１つの仕切が異なる材料、例えば金属またはプラスチックから形作られえる。仕切は、射出成形されたプラスチック部品として特に簡単に、費用効果が高く製造されえる。加えてプラスチックの仕切は、仕切によって形成されたサブコンパートメントの詰め込み過ぎについて一定の裕度を有するように、十分な可撓性を有する。
【発明を実施するための最良の形態】
【００３６】
本発明は添付の図を参照して詳細に説明される。図は、郵便物の仕分のための本発明による実施形態を示す。
【００３７】
同じ種類の要素は、概して同じ参照番号が付される。もし複数の同様の要素が図に見られえる場合、それらは必ずしも個別の参照番号によっては示されない。
【００３８】
本発明による仕分装置１０が図１に示される。この装置は、複数の仕分コンパートメント１４、１６が配置される枠（carcass）として作られたホルダ１２を有する。示された局面において、第２仕分コンパートメント１４は、以下の本発明にしたがって設計される。仕分コンパートメント１４は、図１では引き出された状態で示される引出ドロワー（pull-out drawer）１８を有する。引出１８は、引き出されると、伸縮レール（telescopic rails）（不図示）上を動く。引出ドロワー１８を持つ本発明によって設計された仕分コンパートメント１４は、仕切（separators）２０を有する。仕切２０、および仕分コンパートメント１４の引出ドロワー１８の詳細および機能は、以下にさらに詳述される。
【００３９】
図１に示される仕分装置１０は、棚の基台１７上に配置されるコンパートメント１６をさらに有するが、引出ドロワーを有しない。したがってこれら残りのコンパートメント１６は詳細には示されない。
【００４０】
図１に示される実施形態では、仕分装置１０の全体は、テーブル２３上で支持される。
【００４１】
これから説明されるべきやり方によれば、郵便物は、それぞれの仕分ステップにおいて引出ドロワー１８内に配置され、よって引出ドロワー１８の台板上に置かれる。したがって、本発明にしたがって設計されていない残りの仕分コンパートメント１６にある棚板１７のかたちが要求される棚板は、本発明によって設計された仕分コンパートメントの下には必要がない。
【００４２】
図２は、引出ドロワー１８の前面斜めから見た図を示す。この引出は、基台２４、側壁２６およびこの実施形態では固定中央壁２８を含む。後壁３０は、例としてそのうちの３つが参照番号３２で示される複数のスロットを有する。開口部の形をとる突起マウント（projection mount）３４が、引出方向５２の前部領域において引出ドロワーの基台２４中に設けられる。後壁３０からの突起マウント３４の距離は、参照番号３５によって示される。引出ハンドル３６は、引出方向５２の前部において引出ドロワー１８の下部側面に設けられる。引出ドロワーは、前に向かって開く。要求される安定性は、巧みな成形、および引出ドロワー１８の基台２４中の支柱によって達成されえる。
【００４３】
図３は、同じ引出ドロワーの後面斜めから見た図を示す。特にここでは、後壁３０中のスロット３２は、後壁３０を安定させ、その有効厚さを増す、横方向に境界をなすガイドスタブ（laterally bounding guide stubs）３８を有することが見られえる。
【００４４】
図４は、挿入された仕切を持つ引出ドロワー１８の詳細図を示す。３つの仕切２０、２１が例として示されるが、異なる要求を満足するために異なる形状も選択されえる。仕切２０がより高い安定性を有するが、仕切２１の形状は、２つの隣接する仕切によって形成されるサブコンパートメント中の郵便物へのアクセスを簡単にする。
【００４５】
仕切は、図４では見えない突起を前面下部領域に有する。例えば図５は、仕切２０のための突起４４の形状を示す。仕切２１も対応する突起を有する。突起４４は、突起マウント３４に係合し、そこに引っかかる。仕切の後部端は、引出ドロワー１８の後壁３０中のスロット３２を通して突出する。後壁３０から突起マウント３４の距離３５は、仕切（図５および６）の後部端４３から突起４４の距離４９より小さい。このようにして仕切は、引出ドロワーの中で傾いたり横方向にずれたりしないよう固定されることが確実にされる。
【００４６】
図５および６は、仕切２０および２２についての２つの例示的実施形態を示す。仕切２０が前部領域において丸められているのに対して、仕切２２は前部領域において面取りされている。
【００４７】
下向きに面する突起４４は、前に向く鼻状の延長部を含むことがわかろう。引出ドロワー１８の引出方向５２の後部において突起４４の端部４５は、面取りされている。仕切の後部端４３から突起４４の距離は、参照番号４９によって示される。
【００４８】
フック４６は、仕切２０、２２の後部端に位置し、下に開いたフック開口４８を有し、その外側４７は丸められている。
【００４９】
示される仕切の実施形態の厚さは、上に向かってテーパが付けられている。
【００５０】
図７は、ホルダ１２に押し込まれた引出ドロワー１８を持つ仕分コンパートメント１４を前面から見た図を示す。仕切２０は、後述のやり方で、突起マウント３４、および後壁３０のスロット３２の中で保持される。
【００５１】
図８は、図７の詳細を示す。ここで特に、突起マウント３４は、引出方向５２の前部にある領域４０でより狭く、挿入された仕切が狭い部分４０で固く保持されるように選ばれた寸法を持つことがわかろう。
【００５２】
識別物４２は、引出ドロワーの基台２４の端部面に貼り付けられえ、例えば配達区域または配達区域内の個別の郵便局の顧客を表しえる。
【００５３】
図９は、仕切２０を持つ引出ドロワー１８の他の図であり、これら仕切の突起は突起マウント３４に係合する。ここで引出ドロワー１８は、引出方向５２に少量引き出されており、この量は突起４４の先端の長さにほぼ対応する。突起４４は、明らかに突起マウント３４にまだ嵌っているが、それらの鼻状の延長部は突起マウントの狭い領域４０にもはや引っかかっていない。この目的のために、突起マウント３４の寸法はそれに応じて選ばれる。
【００５４】
図１０ａから１０ｃは、引出ドロワー１８の引出プロセスのあいだに、引出ドロワー１８および仕切２２がどのように振る舞うかを概略表現で示す。後述するやり方において、仕切２２のフック４６は、空間的に固定された保持棒（holding rod）５０に引っかけられている。図で前にある側壁２６は、よりよい理解のためにここでは透明に示され、仕切２２が見えている。
【００５５】
図１０ａは、引出ドロワー１８が押し込まれた状態を示す。図１０ｂは、引出方向５２に引出ドロワー１８が半分だけ引き出された状態を示す。図１０ａの位置において、示される仕切２２の突起４４は、引出ドロワー１８の基台２４中の突起マウント３４を通して突出する一方、図１０ｂの半分だけ引き出された状態においては、突起４４は、引出ドロワー１８の基台２４の上に位置する。したがって仕切２２はわずかに傾斜される。
【００５６】
引出ドロワー１８が完全に引き出された状態は図１０ｃに示される。仕切２２はもはや引出ドロワー１８の後壁３０を通って引出ドロワー１８の内部領域へと突出はせず、それにより引出ドロワー１８は、もはや仕切２２によって区分（divided）されない。仕切２２は、後壁３０のガイド支持部３８によって、横方向への傾きまたは滑りがないようその空間的な配置に保持される。
【００５７】
図１１から１３は、図７の状態から始まる図１０に示された引出プロセスを異なる視点から示す。図７に示される状態は特に図１０ａに対応し、一方、図１２は図１０ｂに対応し、図１３は図１０ｃに対応する。加えて、図１１は、図１０ａおよび１０ｂに示される状態の間の状態を示し、ここで引出ドロワー１８は、突起４４が突起マウント３４の外に滑り出ているところまで既に引き出されている。
【００５８】
図１４は、仕分プラントを後ろから見た図であり、ホルダ１２の後壁は、取り除かれている。この状態は、押し込まれた引出ドロワー１８および仕切２０と共に示され、仕切２０は、引出ドロワー１８の後壁３０のスロット３２内に保持される。仕切２０の後部領域が後壁３０のスロット３２を通してどのように突出しているかがわかろう。支持部５４は、支持キャリヤ５６を有し、保持棒５０の領域内に設けられる。支持延長部（support prolongation）５８の間には、スロット６０の形をとる支持マウントが位置し、支持延長部５８はこの支持キャリヤ５６において設けられる。支持延長部５８は、ホルダ内に堅固に取り付けられた保持棒５０に配置される。例えば図１０ａ〜１０ｃにおいて見られるように、仕切２０のフック４６は、スロット６０内に突出し、フック開口４８は、保持棒５０の周りで係合する（engage around）。後壁３０の下部領域および引出ドロワー１８の基台２４は、支持部５４の下で後ろから見える。下部領域で後壁３０のスロット３５を囲むガイドスタブ３８も特に図からわかろう。
【００５９】
図１５は、支持部５４の実施形態を示す。図１４が支持部５４を後ろから示すのに対して、図１５の実施形態は、斜め前方から示される。支持マウント（support mount）６２は、支持部５４が保持棒５０において支持マウント６２と共に配置されるようここでは特に示されている。参照番号６３はネジ穴を示し、ここに例えば、保持棒５０上の支持部５４の横方向の位置を調整する調整ネジが提供されえる。この目的のために、対応する調整ネジは、ネジ穴６３内に挿入され、このネジの助けで支持部は例えばホルダの側壁に対して押さえられ調整されえる。よって支持部は、支持部５４のスロット６０が、引出ドロワー１８のスロット３２と対応するように調整される。
【００６０】
図１６は、仕分装置を後方から見た図を示す。支持部５４は、仕切２０のフック４６の保持棒５０との協働がわかるように取り除かれている。この局面において、フック４６は保持棒５０の周りに係合するのがわかろう。
【００６１】
図１７は、本発明によって作られた仕分コンパートメントの後部領域を前から見た図を示す。この図は、支持部５４と、保持棒５０と、仕切２０のフック４６との協働が明瞭になるよう引出ドロワーなしで示される。支持延長部５８が保持棒５０上にどのように位置するかがわかろう。仕切２０は、保持棒５０のすぐ前に位置し、すなわちフック４６がスロット６０内で保持棒５０の周りで引っかかる直前の状態である。
【００６２】
実施形態のホルダが図１８に示され、これは本発明によって設計された４つの仕分コンパートメント１４のために構成され、上下に並んで配置される。ネジ穴６４はそれぞれ、引出ドロワー１８の伸縮レールの締め付けの役割を果たす。開口６６は、それぞれの仕分コンパートメントの保持棒５０を受け入れる役割を果たす。最上段の仕分コンパートメントの保持棒のための開口は図では見えない。
【００６３】
個々の要素の可能な寸法が以下に述べられるが、これらはあくまで例示として理解されたい。
【００６４】
例えば枠１２は、約５０ｃｍから１００ｃｍの幅と、３５ｃｍの深さを有しえる。例えば約１３０ｃｍの高さは、図１８に示されるように本発明による仕分コンパートメントを４つ上下に受け入れえるホルダのために可能である。鋼でできた保持棒５０は例えば、１４ｍｍの直径を有する。ホルダ１２中のそれぞれの保持棒５０の高さは、対応する引出ドロワー内の仕切のフック４６のそれぞれの切り欠き４８の位置に対応するようそれぞれの場合で選択される。
【００６５】
支持部５４は、プラスチックから製造されえる。
【００６６】
仕切は例えば、約３５ｃｍの長さおよび約２１ｃｍの高さのプラスチック板によって形成される。下部領域において仕切は、図５および６からもわかるように、上向きにテーパが付けられる４ｍｍの厚さを有する。
【００６７】
引出ドロワー１８も同様に、プラスチック板からなり、例えば３５００ｃｍ３の容積を有する。
【００６８】
本発明による仕分装置は、以下のように組み立てられる。すなわち図１８に示されるように、保持棒５０はホルダ１２内の保持棒マウント６６に挿入される。伸縮レール（不図示）がネジ穴６４に取り付けられ、引出ドロワー１８を支え、引出ドロワーが受け面まで前に引き出されることを可能にする。図１による実施形態において、引出ドロワー１８は、下から２番目の仕分コンパートメント１４にだけ設けられる。
【００６９】
支持部５４は、それぞれの引出ドロワー１８について、またはそれぞれの保持棒５０について取り付けられ、支持マウント６２は保持棒５０上に設けられる。この点で支持部５４は、例えばホルダ１２の後壁に対して支持され、よって保持棒５０から滑ってはずれることはない。図に示されない調整機構を用い、支持部５４中のネジ穴６３（図１５）を利用することによって、支持部５４の横方向の位置は、支持部５４のスロット６０が、引出ドロワー１８の後壁３０中のスロット３２に対応するよう設定される。引出ドロワー１８を支える伸縮レールの公差は、このようにして補償される。支持部５４の調整ネジ穴６３に挿入される調整ネジは例えば、支持部５４をホルダ１２の側壁に対して締め付けえる。
【００７０】
使用中、ユーザは以下のように進みえる。すなわちユーザはまずそれぞれの仕切２０、２１、２２がどの程度の間隔を有すべきかを選ぶ。個々の仕切２０、２１、２２の間隔は、この点において、その間隔が個別の配達区域の郵便の量にほぼ個々に対応することによって、配達区域に関連付けられたそれぞれのサブコンパートメントが、対応する配達区域の典型的な郵便の量を２つの仕切の間に受け入れることができるように選ばれる。したがって異なるサブコンパートメントは、それらに関連付けられた配達区域の典型的な郵便の量にしたがって、異なる幅、およびよってそれらサブコンパートメントを区切る仕切の異なる間隔を有する。それからユーザは、引出ドロワー１８に対して仕切２０、２１、２２の第１設定をおこなう。この目的のために引出ドロワー１８は、最大伸長の約８０％まで引き出される。所望の間隔で仕切が挿入され、このとき突起４４は、選択された突起マウント３４に引っかけられ、仕切の後部端は、引出ドロワー１８の後壁３０の対応するスロット３２内に導かれる。図４に示されるような状態になる。仕切２０、２１、２２は、突起マウント３４内の突起４４、およびスロット３２によって堅固に保持される。ここで引出ドロワー１８は仕分コンパートメント１４内へ後ろに押し込まれ、仕切２０、２１、２２は、引出ドロワー１８と共に後方に動く。この押し込みプロセスの最後には、フック４６の丸められた外側４７は、保持棒５０に入り込む。フック４６の外側４７は、保持棒５０において上に滑り、最終的にフック開口４８は、保持棒５０上に配置される。例えば図１０または図１６に見られるように、それから仕切２０、２１、２２は、フック４６が保持棒５０の周りにおいて係合するよう再び下に落ちる。こんどは仕切２０、２１、２２のフック４６は、引出方向５２の仕切の動きがもはや可能ではないように、保持棒５０上の支持部５４のスロット６０内に配置される。
【００７１】
よって仕分ボックス１４は、ユーザの特定の要求に応じて装備されえる。サブコンパートメントは、その幅が個々の配達区域の典型的な郵便の量に個別に対応するよう特に形成される。典型的な郵便の量は変化しないため、概して、仕切の位置を変えることはもはや必要ない。しかし任意選択として仕切は、フック４６および保持棒５０の間の係合がはずれるように手で再び取り除かれてもよい。
【００７２】
ここで郵便物は、取り付けられた仕切を持つ、押し込まれた引出ドロワー１８の状態で仕分されえる。個々の郵便物は、配達区域に対応する個々のサブコンパートメントに置かれる。郵便物が個々のサブコンパートメントに完全に仕分されたあと、引出ドロワー１８は、伸縮レールの受け面まで引出方向５２に沿って、引出ハンドル３６において再び引き出される。仕切２０、２１、２２は、保持棒５０上に引っかかったままであり、よって引出ドロワー１８の最大伸長まで、区分部材（dividing members）としてのそれらの機能を完全に失う。これは図１０においてわかろう。図１０ａではそこに示される仕切２２は保持棒５０に引っかかっており、引出ドロワーはまだ引き出されておらず、図１０ｂでは引出ドロワーが引出方向に引き出されるが、仕切２２は保持棒５０に引っかかったままである。図１０ｃは、引出ドロワー１８が完全に引き出されて、仕切２２が引出ドロワー１８内でもはや区分する機能を果たしていない状態を示す。仕切２２は、ガイドスタブ３８、および後方に曲げられた後壁３０の上部端によって、脱落しないように留められる。
【００７３】
図７の状態から始まり、図９および図１１〜１３の順番で引出プロセスは、再び詳細に示される。図７では突起４４は、まだ突起マウント３４内にある。図９では引出ドロワー１８が少し引き出され、突起４４の鼻状延長部は、もはや突起マウント３４に引っかかっていない。図１１は、引出方向５２に引出ドロワーをさらに引き出すことによって、突起４４の傾斜が付けられた後部端４５が、仕切２０の突起４４が突起マウント３４から滑り出ることによって、仕切が前部領域においてわずかに上へ動く様子を示す。図１２は、図１０ｂに対応する状態を示す。図１３は、引出ドロワー１８が完全に引き出された状態であることを示す。仕切２０は、もはや引出ドロワー１８内に延びておらず、引出ドロワー１８はいまや何も区分するものがない（任意選択として設けられる中央壁２８を除く）ことがわかろう。
【００７４】
ここでユーザは、引出ドロワー内に手を入れ、仕分された郵便物をまとめて、引出ドロワー１８の側壁２６に、または中央壁２８に押しやることができる。側壁および中央壁２８の間の引出ドロワーに関連付けられた郵便物の全ては、１ステップで取り除かれえ、例えば郵便袋内に仕分された状態で入れられえる。
【００７５】
したがって配達区域に関連付けられた仕分コンパートメントの全てのサブコンパートメントを一つ一つ別々に空にして、郵便袋にその内容を移す必要がない。よって仕分プロセス、特に仕分コンパートメントから取り出すプロセスは、引出ドロワーなしの仕分コンパートメントよりも相当に簡略化され、大幅に短い時間でなされえる。
【００７６】
取り出された後、引出ドロワー１８は、再び仕分コンパートメント１４内に押し戻され、仕切２０、２１、２２は再びそれらの区分する機能を取り戻し、仕切の突起４４は、引出ドロワー１８の基台２４中の突起マウント３４内に引っかかる。例えば図７の状態が再び起こり、ここで引出ドロワー１８は、仕切によってサブコンパートメントに区分される。ここで仕分装置はさらなる仕分プロセスのために準備ができたことになる。
【００７７】
本仕分装置は、機械的に動作し、したがって非常にコスト効率が良く、堅固である。
【図面の簡単な説明】
【００７８】
【図１】本発明の実施形態による郵便物仕分の応用例の実施形態の前面透視図である。
【図２】本発明による実施形態の引出ドロワーの斜め前方から見た図である。
【図３】図２の引出ドロワーを斜め後ろから見た図である。
【図４】異なるように挿入された仕切を持つ引出ドロワーの詳細図である。
【図５】本発明による実施形態の仕切の図である。
【図６】本発明による実施形態の仕切の異なる局面の図である。
【図７】本発明による実施形態の仕分コンパートメントの前から見た平面図である。
【図８】図７に示される実施形態の詳細の拡大図である。
【図９】図７に示される実施形態の引出ドロワーの詳細図である。
【図１０】本発明による実施形態の引出ドロワーを引き出すプロシージャの動きを示す図である。
【図１１】図７に示される実施形態の引出ドロワーを引き出すあいだの詳細な図である。
【図１２】引き出すあいだの、より後の時刻における詳細図である。
【図１３】引出ドロワーを引き出したときの詳細図である。
【図１４】後壁がない本発明による仕分装置を後ろから見た図である。
【図１５】本発明による実施形態の支持部の図である。
【図１６】支持部を取り除いた本発明による仕分プラントを後ろから見た詳細図である。
【図１７】引出ドロワーが省略された支持部の領域における本発明による仕分装置の仕分コンパートメントを前から見た図である。
【図１８】本発明による実施形態のホルダの透視図である。
【符号の説明】
【００７９】
１０    仕分装置
１２    ホルダ、枠
１４    仕分コンパートメント
１６    仕分コンパートメント
１７    棚板
１８    引出ドロワー
２０、２１、２２    仕切
２３    テーブル
２４    引出ドロワーの基台
２６    側壁
２８    中央壁
３０    引出ドロワーの後壁
３２    後壁のスロット
３４    突起マウント
３５    引出ドロワーの後壁からの突起マウントの距離
３６    引出ハンドル
３８    ガイドスタブ
４０    突起マウントの狭い領域
４２    マーキング
４３    仕切の後部端
４４    突起
４５    突起の面取りされた端部
４６    フック
４７    丸められたフックの外側
４８    フックの開口
４９    仕切の後部端からの突起の距離
５０    保持棒
５２    引出方向
５４    支持部
５６    支持キャリヤ
５８    支持延長部
６０    スロット
６２    支持マウント
６３    調整ネジ穴
６４    ネジ穴
６６    保持棒マウント
【図１】
2009526721.tif 000003
【図２】
2009526721.tif 000004
【図３】
2009526721.tif 000005
【図４】
2009526721.tif 000006
【図５】
2009526721.tif 000007
【図６】
2009526721.tif 000008
【図７】
2009526721.tif 000009
【図８】
2009526721.tif 000010
【図９】
2009526721.tif 000011
【図１０】
2009526721.tif 000012
【図１１】
2009526721.tif 000013
【図１２】
2009526721.tif 000014
【図１３】
2009526721.tif 000015
【図１４】
2009526721.tif 000016
【図１５】
2009526721.tif 000017
【図１６】
2009526721.tif 000018
【図１７】
2009526721.tif 000019
【図１８】
2009526721.tif 000020
【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
郵便物のような仕分されるべき物品を仕分する仕分装置であって、
好ましくは枠として作られ、前面に開いたホルダ、
仕分された物品を受け入れる、前記ホルダ内の少なくとも１つの仕分コンパートメント、および
前記少なくとも１つの仕分コンパートメントをサブコンパートメントに区分する、少なくとも１つの区分部材
を備え、
前記少なくとも１つの仕分コンパートメント（１４）は、少なくとも一部は前記ホルダ（１２）から引出方向（５２）に沿って引き出されえる、前面に開いた引出ドロワー（１８）を含み、
前記少なくとも１つの区分部材は、前記引出方向（５２）に平行に配置され、前記引出ドロワー（１８）に固定しては接続されず、前記引出ドロワー（１８）から外へ動き出るとき前記引出方向（５２）に沿っては動かないことによって、引き出された後には、前記引出ドロワー（１８）は前記少なくとも１つの仕切（２０、２１、２２）によってはもはや区分されないようにする、仕切（２０、２１、２２）として作られ、
前記少なくとも１つの仕切（２０、２１、２２）は、前記引出ドロワー（１８）内の後部に配置されたその端部においてフック（４６）を有し、前記フックのフック開口（４８）は好ましくは下に向けられており、
前記引出ドロワー（１８）の前記後壁（３０）に平行に方向付けられた水平保持端または保持棒（５０）が前記ホルダ（１２）内に設けられ、前記仕切（２０、２１、２２）の前記フック（４６）が前記水平保持端または保持棒（５０）に係合することによって、前記係合された状態では、前記仕切（２０、２１、２２）は前記引出方向（５２）に前記引出ドロワー（１８）と共には動かず、
前記フック（４６）はその外側（４７）において、丸められ、または面取りされ、または前記保持棒または保持端は前記引出ドロワー（１８）に面する側において、丸められ、または面取りされることによって、前記フック開口（４８）が前記保持棒（５０）または前記保持端の周りで係合するまで、前記仕切（２０、２１、２２）および前記保持棒（５０）および前記保持端が互いに対して動くとき、前記フック（４６）は、前記保持端または保持棒（５０）から滑って外れる
ことを特徴とする仕分装置。
【請求項２】
請求項１に記載の仕分装置において、
前記少なくとも１つの引出ドロワー（１８）は、後部領域において好ましくは複数のスロットが設けられた後壁（３０）の形成によって複数のガイドを含み、仕切（２０、２１、２２）は、前記個別ガイドまたはスロット（３２）を通ってスライドする
ことを特徴とする仕分装置。
【請求項３】
請求項２に記載の仕分装置において、
前記引出ドロワー（１８）の前記後壁（３０）内の前記スロット（３２）は、それらが前記少なくとも１つの仕切（２０、２１、２２）を導くように寸法が決められている
ことを特徴とする仕分装置。
【請求項４】
請求項２または３に記載の仕分装置において、
前記引出ドロワー（１８）の前記後壁（３０）内の前記スロット（３２）は、前記スロット（３２）の前記領域において前記後壁（３０）の厚さを実効的に増すガイドスタブ（３８）を含む
ことを特徴とする仕分装置。
【請求項５】
請求項１〜４のいずれか１項に記載の仕分装置において、
前記少なくとも１つの仕切（２０、２１、２２）は取り外し可能である
ことを特徴とする仕分装置。
【請求項６】
請求項１〜５のいずれか１項に記載の仕分装置において、
前記少なくとも１つの仕切について、好ましくはスロットタイプの少なくとも１つの支持マウント（６０）を有する支持部（５４）であって、前記支持部（５４）は、前記ホルダ（１２）に対して静止しており、前記少なくとも１つの支持マウント（６０）は、前記引出ドロワー（１８）の引出動きのときは、前記少なくとも１つの仕切（２０、２１、２２）をその空間的向きで保持するよう作られている
ことを特徴とする仕分装置。
【請求項７】
請求項６に記載の仕分装置において、
前記支持部（５４）は、前記少なくとも１つの支持マウント（６０）を調整することによって、前記支持マウント（６０）によって支持される前記仕切（２０、２１、２２）の空間的向きおよび／または空間的位置が調整される調整機構を有する
ことを特徴とする仕分装置。
【請求項８】
請求項１〜７のいずれか１項に記載の仕分装置において、
前記仕切（２０、２１、２２）は、前記引出ドロワー（１８）内の対応する突起マウント（３４）と協働することによって、前記突起（４４）が、前記引出ドロワー（１８）の押し込まれた状態においては突起マウント（３４）内に保持され、前記引出ドロワー（１８）が引き出されたときには、前記突起マウント（３４）から解放される、突起（４４）を有する
ことを特徴とする仕分装置。
【請求項９】
請求項８に記載の仕分装置において、
前記少なくとも１つの仕切（２０、２１、２２）の前記突起（４４）は、前記引出ドロワー（１８）の前記引出方向（５２）の前方、好ましくはその下部端において提供される
ことを特徴とする仕分装置。
【請求項１０】
請求項９に記載の仕分装置において、
前記少なくとも１つの仕切（２０、２１、２２）の前記突起（４４）および／または前記対応する突起マウント（３４）は、面取りされるか、または丸められることによって、前記引出ドロワー（１８）を引き出すときは、滑って外れる
ことを特徴とする仕分装置。
【請求項１１】
請求項８〜１０のいずれか１項に記載の仕分装置において、
前記少なくとも１つの仕切（２０、２１、２２）の前記突起（４４）の、前記引出ドロワー（１８）の前記引出方向（５２）の後方に配置された前記仕切（２０、２１、２２）の前記端部（４３）からの距離（４９）は、前記突起マウント（３４）の、前記引出ドロワー（１８）の前記後壁（３０）からの距離（３５）よりも長いことによって、前記少なくとも１つの仕切（２０、２１、２２）は、前記引出ドロワー（１８）の前記後壁（３０）にある開口またはスロット（３２）を通して突出する
ことを特徴とする仕分装置。
【請求項１２】
請求項１〜１１のいずれか１項に記載の仕分装置において、
前記少なくとも１つの仕切（２０、２１、２２）は、射出成形されたプラスチック部品として作られる
ことを特徴とする仕分装置。
【請求項１３】
請求項１〜１２のいずれか１項に記載の仕分装置を用いた、特に手紙のような郵便物を仕分する郵便仕分装置。
【手続補正２】
【補正対象書類名】明細書
【補正対象項目名】全文
【補正方法】変更
【補正の内容】
【発明の詳細な説明】
【技術分野】
【０００１】
本発明は、前面に開いたホルダと、仕分された物品を受け入れるためのホルダ内の少なくとも１つの仕分コンパートメントと、仕分コンパートメントをサブコンパートメントに区分するための少なくとも１つの区分部材とを有する、仕分されるべき物品、特に郵便物の仕分のための仕分装置に関する。
【背景技術】
【０００２】
仕分装置は、郵便物の仕分のために特に用いられる。例えば、既知の装置は、仕分コンパートメントを形成する、棚のコンパートメントのような水平区分材を持った棚状の本体を含む。個々の仕分コンパートメントは、固定された区分壁によって区分され、前面に開いた個々のサブコンパートメントが形成される。
【０００３】
例えば、郵便の仕分の場合、個々の配達区域が個々のサブコンパートメントに関連付けられる。ユーザは、順番付けられていないかたちで存在する郵便を、配達区域によってサブコンパートメント群へ仕分する。仕分を完了した後で、ユーザは、それぞれのサブコンパートメントから郵便物を取り出し、それらを例えば自分の郵便袋に入れ、または配達区域の順に他の輸送ユニットに渡す。郵便は既にこのようにして仕分がなされ、輸送ユニットから取り出されて配達区域の順に配達されえる。
【発明の開示】
【発明が解決しようとする課題】
【０００４】
個々のサブコンパートメントのサイズは、固定された区分部材によって、固定されて事前設定される。しかし異なる配達区域への郵便の量は、通常、異なるので、ある配達区域の郵便の量が、その区域のためのサブコンパートメントに収まらないことが起こりえる。
【０００５】
郵便物が個々のサブコンパートメントから取り出され、輸送ユニットまたは郵便袋に入れられるとき、ユーザは全てのコンパートメントを空にし、それに含まれていた郵便物を袋または輸送ユニットに入れなければならない。したがってそれぞれのサブコンパートメントは、個別のアクセスステップを必要とする。
【課題を解決するための手段】
【０００６】
請求項１の特徴を有する仕分装置は、ＵＳ２００４／００８０１０５Ａ１から知られる。
【０００７】
本発明の目的は、簡単で時間の節約ができる仕分を可能にする仕分（sorting）装置（installation）を提供することである。この目的は、請求項１の特徴を有する仕分装置によって達成される。従属項は、好ましい実施形態に関する。
【０００８】
本発明による仕分装置を用いれば、少なくとも１つの仕分コンパートメントは、例えば少なくとも一部は伸縮レール上でホルダから引き出されえる引出ドロワーを有する。引出ドロワーが引き出されたときに落ちることがないように、引出の境界には対応する受け面（abutment）が設けられえる。
【０００９】
本発明による仕分装置は、好ましくは前面に開いた引出ドロワーを有する少なくとも１つの仕分コンパートメントを有する。もし複数の仕分コンパートメントが提供されるなら、有利にはそれら全てが本発明によって設計された引出ドロワーを有する。しかし個別の仕分コンパートメントが引出ドロワーを一つも持たず、この点で本発明によって設計されていない実施形態も可能である。そうではないと明記されない限り以下においては、「仕分装置」という語は、本発明にしたがって設計された引出ドロワーを持つ仕分コンパートメントとして理解されたい。
【００１０】
引出ドロワーを持つ仕分コンパートメントの区分のために提供される、少なくとも１つの区分部材は、引出ドロワーの引出方向に平行に配置される仕切として設計され、これは引出ドロワーに固定して接続されず、引出方向に引出ドロワーが外に出るときは一緒に動かないことによって、引出ドロワーは、外に出された後は、もはや少なくとも１つの仕切によって区分されない。よって、仕分コンパートメントを形成する引出ドロワーは、引き出されていない状態では、仕切によって個々のサブコンパートメントに区分される一方、引出ドロワーが引き出されると、仕切は一緒には動かず、その結果、引出ドロワーを引き出すプロセスのあいだに区分が解消される。引き出された状態においては、したがって仕分コンパートメントを形成する引出ドロワーは、もはや区分されていない。
【００１１】
郵便物の仕分を参照して機能が説明される。引出ドロワーが仕切によって区分されている限り、ユーザは、仕切によって区分されている引出ドロワーに郵便物を仕分する。例えば、仕切によって形成されている個々のサブコンパートメントは、個々の郵便配達区域と関連付けられえる。郵便の総量を全て仕分し終わった後、ユーザは引出ドロワーを前に引き出す。仕切は、この引き出す動きと一緒には動かず、その結果、サブコンパートメントへの区分が解消される。それにもかかわらず郵便物は、配達区域によって順番付けられたまま引出ドロワー内に留まる。郵便物はこんどはユーザによって横方向に一緒にまとめられるように押さえつけられ、単一の仕事ステップで引出ドロワーから取り出され、郵便袋または輸送ユニット（transport unit）内に置かれる。
【００１２】
したがって仕分されるべき物品を引出ドロワーから取り出すことは、多数の個別のコンパートメント群が空にされなければならないときより、ずっと時間がかからない。
【００１３】
本発明は例えば、郵便配達人の配達区域によって郵便物を仕分するのに特に適する。しかし本発明は、仕分されるべき物品が区分された所に入れられ、後にこの区分の順番でさらに処理されなければならない、あらゆる仕分プロセスにおいて有利に用いられえる。
【００１４】
本発明は、本発明によって設計された複数の仕切が仕分コンパートメント内に提供されるときに特に効果的なことがわかる。
【００１５】
引出ドロワーは、引き出された状態においては、もはや一つも区分を有さず、この点で仕分コンパートメントの引出ドロワーは対応しないことが特に有利である。しかし引出ドロワー当たり２つ以上の仕分コンパートメントが提供され、一方、個々の仕分コンパートメントは引出ドロワーの引き出されていない状態においては仕切によって区分され、引き出された後には区分が存在しないという設計も可能である。よって例えば安定性の理由で、引出ドロワーが固定された中央壁をその中央に有し、それにより引出ドロワーが２つの仕分コンパートメントを中央壁の左右に含むことも有利でありえる。引出ドロワーを複数の仕分コンパートメントにこのように区分することは、例えば、引出ドロワーを引き出した後、すなわちサブコンパートメントへの区分をなくした後、区分されていないコンパートメントが大きすぎて、その内容物を取り出すことが扱いにくくなるような、非常に長い引出ドロワーについては理にかなってもいる。
【００１６】
仕切と違って引出ドロワーの引出動きと共に動くこのような中央壁は、移動可能にもされえる。例えば移動可能な中央壁は、必要に応じて引出ドロワーの異なる位置にネジ止めで固定されえる。よって仕分コンパートメントの全体のサイズは、郵便袋の典型的な容積に対応して調整されえる。引出ドロワー内に固定された、または固定可能な複数の中央壁も提供されえる。
【００１７】
引出ドロワーの引出プロセスの際に仕切が一緒に動かないように、ガイドまたは開口が有利には引出ドロワーの後部壁側に位置し、引出ドロワーが引き出されるとき仕切は、これらガイドまたは開口を通してスライドしえる。特に好ましい局面において引出ドロワーの後部壁はスロットを有し、個々のスロットは、仕切がスロットを通してスライドできるように設計される。この局面においてガイドまたはスロットの個数は、所望の仕切の個数に少なくとも対応する。個別の仕切の数および間隔が、用いられるガイドまたはスロットの選択によって選ばれえるように、多数のガイドまたはスロットが所定の間隔で提供される局面は特に融通性に富む。
【００１８】
本局面のさらなる発展形において、ガイドまたはスロットは、それらが仕切を導くように大きさが決められる。この目的のために、ガイドまたはスロットの横方向の幅は、その幅が個々の仕切の厚さに実質的に対応し、かつ仕切を締め付けることがないように特に選択されえる。
【００１９】
引出ドロワーの後部壁にあるガイドまたはスロットは、仕切の空間的範囲を規定する。仕切を鉛直方向にアラインさせること（vertical alignment）、すなわちスロットまたはガイドを鉛直方向にアラインさせることは、空間について経済的である。しかしガイドまたはスロット、よって仕切が、斜めにアラインされる局面も可能である。
【００２０】
引出ドロワーの後壁内のスロットは、有利なさらなる発展形において、例えば引出ドロワーの後壁において外に向かって提供され、特に引出ドロワーが引き出されるときに仕切の横方向の支持をおこなうガイドスタブを有する。加えてこのようなガイドスタブは、スロットが設けられた後壁の安定化のために役立つ。ガイドスタブは、例えば後壁が薄い厚さであるときに、後壁の実効的な厚さを増すように設計されえる。
【００２１】
仕切は、それらが仕分装置から取り外されえるように特に好ましくは作られる。このようにしてユーザは、必要に応じ需要に依存して、異なる個数の仕切を異なる間隔で挿入しえる。
【００２２】
引出ドロワーの引出プロセスと一緒に仕切が動かないことを確実にするために、仕切はホルダに、またはホルダに固定して接続された要素に接続される。解除式仕切の場合、この接続も解除可能にされる。引出ドロワーの引出方向の後方に配置され、ホルダに固定して接続される保持端または保持棒と協働するフックを少なくとも１つの仕切が有し、保持端または保持棒は、引出ドロワーの後壁に平行にアラインされ、その挿入された状態において仕切のフックの鉛直位置に対応するレベルに配置される。もしこのフックが保持棒または保持端に引っかけられているなら、仕切は引出方向に動くことができない。もし引出ドロワーが引き出されるなら、フックは仕切を保持棒または保持端に保持し、その結果、引出ドロワーは仕切を伴わないで動き、仕切はその区分けをする機能を失う。保持端または保持棒は、好ましくは水平方向にアラインされ、仕切のフックの開口は、下向きに面する。それからフックが保持端または保持棒に引っかかることは、仕切の重量によって発生され保持される。
【００２３】
「フック」という語は、保持棒または保持端を囲むように係合する切り欠きを有する要素を一般的に指す。
【００２４】
フックはその外側において面取りされ、または丸められ、または保持棒または保持端は引出ドロワーと面する側において面取りされ、または丸められている。そのような局面において、仕切および保持棒または保持端が互いに対して動くとき、仕切のフック開口が保持棒または保持端の周りに係合するまで、フックは、保持端または保持棒で外れて滑る。フック開口が下向きに面する実施形態については特に、それから仕切は下向きに落ち、その結果、フックは保持端または保持棒において引っかかる。
【００２５】
このような有利な実施形態について例えば次のプロシージャが続きえる。引出ドロワーの引き出された状態において、仕切は、例えば所望の個数、所望の間隔で引出ドロワーに挿入されえる。例えばそれらは、引出ドロワーの後部領域におけるガイドまたはスロットによって保持される。こんどは引出ドロワーは、仕切と一緒にホルダ内に押し込まれる。押し込みプロセスの最後において、仕切のフックは、保持棒または保持端上に入り込み、面取りのために少なくとも仕切の後部領域において上向きに動く。もし引出ドロワーがさらに押し込まれると、フックは、保持棒または保持端の周りに係合しえ、それによって持ち上げられた仕切は下向きに落ち、フックは保持棒または保持端と係合するようになる。よって仕切は、引出方向に堅固に固定され、もはや引出ドロワーと一緒には動きえない。仕分されるべき物品は、仕切によって囲まれた引出ドロワーのサブコンパートメント内に仕分されえる。仕分されるべき物品が仕分された後に、引っかかっている仕切を動かすことなく、引出ドロワーを外に出すことがおこなわれ、その結果、仕切はその区分けする機能を失う。
【００２６】
仕切を支持するために、特に仕切をその空間的な方向に保持するために、引出ドロワーは引き出されている一方で、仕分装置のホルダについて静止した支持部が提供されえ、引出ドロワーの引出プロセスのあいだ、その支持部の中に仕切が挿入される。これは好ましくは、スロット状の支持マウントが仕切について提供される支持部である。例えば、この支持部は、対応する実施形態の保持棒または保持端の領域内に提供されえ、このスロットは、仕切の所望の空間的向きに対応する向きにアラインされえる。
【００２７】
この局面の好ましいさらなる発展形は、仕切のための支持マウントを調整するよう設計される調整機構を有する支持部を提供する。設計に依存して、調整機構は、引出ドロワーの後壁のスロットに平行な支持部のスロットの角度アラインメント（angular alignment）を調整する役目、および／または引出ドロワーの後壁のスロットに対して支持部のスロット位置を正確に設定する役目を果たしえる。
【００２８】
この目的のために、支持部のスロットの全体がホルダに対して数ミリメートルの単位で移動されえる、例えば調整ネジが提供されえる。取り扱いやすいさらなる発展形において、調整ネジは、例えば枠状のホルダの側壁内の穴によって、横からアクセス可能である。
【００２９】
引出ドロワー内の個々の仕切は、仕分プロセスのあいださまざまなやり方で仕切が堅固に保持されるように、仕分プロセスのあいだ、引出ドロワーの後壁領域内のガイドまたはスロットによってのみ保持されないのが特に好ましい。この目的のために、引出ドロワーが押し込まれているときには、引出ドロワーの対応する突起マウントに係合し、引出ドロワーが引き出されると突起マウントから解放される突起が、それぞれの仕切に特に提供されえる。
【００３０】
引出ドロワーの挿入された状態において、このように仕切は、引出ドロワーの後部領域のガイドまたはスロット、および任意選択として本支持部によって支持されるだけではなく、加えて突起マウントに係合する突起によっても支持される。よって仕切の区分けによって形成されたサブコンパートメントのうちの１つに物が入れられ過ぎたときにも、仕切はその位置を変えないことが特に確実にされる。
【００３１】
この目的のために、突起は、仕切の下部端において仕切の領域内において、かつ引出ドロワーの引出方向の前において特に有利に提供され、突起マウントは、引出方向の前における引出ドロワーの領域内に、引出ドロワーの基台内にそれにしたがって配置される。
【００３２】
対応する突起マウントから少なくとも１つの仕切の突起が障害なく滑り出すことを確実にするために、引出ドロワーが引き出されるとき、突起および突起マウントが互いにスライドして外れるように、突起および／または突起マウントが面取りされる、有利なさらなる発展形が提供される。突起の後方に向く端部は、仕切の下部端において、その前部領域に提供され、例えば特に対応するように面取りされ、または丸められえる。
【００３３】
もし少なくとも１つの仕切が、突起マウントに受け入れられる突起と、引出ドロワーの後ろ側にあるガイドまたはスロットとの両方によって保持されるべきなら、引出ドロワーの引出方向の後方における仕切の端部からの、仕切の突起の距離は、突起マウントの、引出ドロワーの後壁からの距離よりも大きい。引出ドロワーの押し込まれた状態において、少なくとも１つの仕切の突起が突起マウントに係合するとき、仕切は、引出ドロワーの後部側にあるガイドまたはスロットに後部領域において係合することがこのようにして確実にされる。仕切は、このようにして少なくとも２つの点において堅固に支持される。
【００３４】
このような設計物と共に仕切は以下のように用いられえる。すなわち引出ドロワーは、まず引き出される。仕切が所望の間隔で、所望の個数で挿入され、仕切のそれぞれの突起は、引出ドロワーの突起マウントに入り、引出ドロワーの後ろ側にあるガイドまたはスロットへ差し込まれる。このようにして固定される仕切を持つ引出ドロワーは、ホルダへ押し戻される。
【００３５】
仕切は異なるように、例えば格子状構造として作られえる。金属またはプラスチックの板が特に簡単であり、応用に具合がよい。
【００３６】
少なくとも１つの仕切が異なる材料、例えば金属またはプラスチックから形作られえる。仕切は、射出成形されたプラスチック部品として特に簡単に、費用効果が高く製造されえる。加えてプラスチックの仕切は、仕切によって形成されたサブコンパートメントの詰め込み過ぎについて一定の裕度を有するように、十分な可撓性を有する。
【発明を実施するための最良の形態】
【００３７】
本発明は添付の図を参照して詳細に説明される。図は、郵便物の仕分のための本発明による実施形態を示す。
【００３８】
同じ種類の要素は、概して同じ参照番号が付される。もし複数の同様の要素が図に見られえる場合、それらは必ずしも個別の参照番号によっては示されない。
【００３９】
本発明による仕分装置１０が図１に示される。この装置は、複数の仕分コンパートメント１４、１６が配置される枠（carcass）として作られたホルダ１２を有する。示された局面において、第２仕分コンパートメント１４は、以下の本発明にしたがって設計される。仕分コンパートメント１４は、図１では引き出された状態で示される引出ドロワー（pull-out drawer）１８を有する。引出１８は、引き出されると、伸縮レール（telescopic rails）（不図示）上を動く。引出ドロワー１８を持つ本発明によって設計された仕分コンパートメント１４は、仕切（separators）２０を有する。仕切２０、および仕分コンパートメント１４の引出ドロワー１８の詳細および機能は、以下にさらに詳述される。
【００４０】
図１に示される仕分装置１０は、棚の基台１７上に配置されるコンパートメント１６をさらに有するが、引出ドロワーを有しない。したがってこれら残りのコンパートメント１６は詳細には示されない。
【００４１】
図１に示される実施形態では、仕分装置１０の全体は、テーブル２３上で支持される。
【００４２】
これから説明されるべきやり方によれば、郵便物は、それぞれの仕分ステップにおいて引出ドロワー１８内に配置され、よって引出ドロワー１８の台板上に置かれる。したがって、本発明にしたがって設計されていない残りの仕分コンパートメント１６にある棚板１７のかたちが要求される棚板は、本発明によって設計された仕分コンパートメントの下には必要がない。
【００４３】
図２は、引出ドロワー１８の前面斜めから見た図を示す。この引出は、基台２４、側壁２６およびこの実施形態では固定中央壁２８を含む。後壁３０は、例としてそのうちの３つが参照番号３２で示される複数のスロットを有する。開口部の形をとる突起マウント（projection mount）３４が、引出方向５２の前部領域において引出ドロワーの基台２４中に設けられる。後壁３０からの突起マウント３４の距離は、参照番号３５によって示される。引出ハンドル３６は、引出方向５２の前部において引出ドロワー１８の下部側面に設けられる。引出ドロワーは、前に向かって開く。要求される安定性は、巧みな成形、および引出ドロワー１８の基台２４中の支柱によって達成されえる。
【００４４】
図３は、同じ引出ドロワーの後面斜めから見た図を示す。特にここでは、後壁３０中のスロット３２は、後壁３０を安定させ、その有効厚さを増す、横方向に境界をなすガイドスタブ（laterally bounding guide stubs）３８を有することが見られえる。
【００４５】
図４は、挿入された仕切を持つ引出ドロワー１８の詳細図を示す。３つの仕切２０、２１が例として示されるが、異なる要求を満足するために異なる形状も選択されえる。仕切２０がより高い安定性を有するが、仕切２１の形状は、２つの隣接する仕切によって形成されるサブコンパートメント中の郵便物へのアクセスを簡単にする。
【００４６】
仕切は、図４では見えない突起を前面下部領域に有する。例えば図５は、仕切２０のための突起４４の形状を示す。仕切２１も対応する突起を有する。突起４４は、突起マウント３４に係合し、そこに引っかかる。仕切の後部端は、引出ドロワー１８の後壁３０中のスロット３２を通して突出する。後壁３０から突起マウント３４の距離３５は、仕切（図５および６）の後部端４３から突起４４の距離４９より小さい。このようにして仕切は、引出ドロワーの中で傾いたり横方向にずれたりしないよう固定されることが確実にされる。
【００４７】
図５および６は、仕切２０および２２についての２つの例示的実施形態を示す。仕切２０が前部領域において丸められているのに対して、仕切２２は前部領域において面取りされている。
【００４８】
下向きに面する突起４４は、前に向く鼻状の延長部を含むことがわかろう。引出ドロワー１８の引出方向５２の後部において突起４４の端部４５は、面取りされている。仕切の後部端４３から突起４４の距離は、参照番号４９によって示される。
【００４９】
フック４６は、仕切２０、２２の後部端に位置し、下に開いたフック開口４８を有し、その外側４７は丸められている。
【００５０】
示される仕切の実施形態の厚さは、上に向かってテーパが付けられている。
【００５１】
図７は、ホルダ１２に押し込まれた引出ドロワー１８を持つ仕分コンパートメント１４を前面から見た図を示す。仕切２０は、後述のやり方で、突起マウント３４、および後壁３０のスロット３２の中で保持される。
【００５２】
図８は、図７の詳細を示す。ここで特に、突起マウント３４は、引出方向５２の前部にある領域４０でより狭く、挿入された仕切が狭い部分４０で固く保持されるように選ばれた寸法を持つことがわかろう。
【００５３】
識別物４２は、引出ドロワーの基台２４の端部面に貼り付けられえ、例えば配達区域または配達区域内の個別の郵便局の顧客を表しえる。
【００５４】
図９は、仕切２０を持つ引出ドロワー１８の他の図であり、これら仕切の突起は突起マウント３４に係合する。ここで引出ドロワー１８は、引出方向５２に少量引き出されており、この量は突起４４の先端の長さにほぼ対応する。突起４４は、明らかに突起マウント３４にまだ嵌っているが、それらの鼻状の延長部は突起マウントの狭い領域４０にもはや引っかかっていない。この目的のために、突起マウント３４の寸法はそれに応じて選ばれる。
【００５５】
図１０ａから１０ｃは、引出ドロワー１８の引出プロセスのあいだに、引出ドロワー１８および仕切２２がどのように振る舞うかを概略表現で示す。後述するやり方において、仕切２２のフック４６は、空間的に固定された保持棒（holding rod）５０に引っかけられている。図で前にある側壁２６は、よりよい理解のためにここでは透明に示され、仕切２２が見えている。
【００５６】
図１０ａは、引出ドロワー１８が押し込まれた状態を示す。図１０ｂは、引出方向５２に引出ドロワー１８が半分だけ引き出された状態を示す。図１０ａの位置において、示される仕切２２の突起４４は、引出ドロワー１８の基台２４中の突起マウント３４を通して突出する一方、図１０ｂの半分だけ引き出された状態においては、突起４４は、引出ドロワー１８の基台２４の上に位置する。したがって仕切２２はわずかに傾斜される。
【００５７】
引出ドロワー１８が完全に引き出された状態は図１０ｃに示される。仕切２２はもはや引出ドロワー１８の後壁３０を通って引出ドロワー１８の内部領域へと突出はせず、それにより引出ドロワー１８は、もはや仕切２２によって区分（divided）されない。仕切２２は、後壁３０のガイド支持部３８によって、横方向への傾きまたは滑りがないようその空間的な配置に保持される。
【００５８】
図１１から１３は、図７の状態から始まる図１０に示された引出プロセスを異なる視点から示す。図７に示される状態は特に図１０ａに対応し、一方、図１２は図１０ｂに対応し、図１３は図１０ｃに対応する。加えて、図１１は、図１０ａおよび１０ｂに示される状態の間の状態を示し、ここで引出ドロワー１８は、突起４４が突起マウント３４の外に滑り出ているところまで既に引き出されている。
【００５９】
図１４は、仕分プラントを後ろから見た図であり、ホルダ１２の後壁は、取り除かれている。この状態は、押し込まれた引出ドロワー１８および仕切２０と共に示され、仕切２０は、引出ドロワー１８の後壁３０のスロット３２内に保持される。仕切２０の後部領域が後壁３０のスロット３２を通してどのように突出しているかがわかろう。支持部５４は、支持キャリヤ５６を有し、保持棒５０の領域内に設けられる。支持延長部（support prolongation）５８の間には、スロット６０の形をとる支持マウントが位置し、支持延長部５８はこの支持キャリヤ５６において設けられる。支持延長部５８は、ホルダ内に堅固に取り付けられた保持棒５０に配置される。例えば図１０ａ〜１０ｃにおいて見られるように、仕切２０のフック４６は、スロット６０内に突出し、フック開口４８は、保持棒５０の周りで係合する（engage around）。後壁３０の下部領域および引出ドロワー１８の基台２４は、支持部５４の下で後ろから見える。下部領域で後壁３０のスロット３５を囲むガイドスタブ３８も特に図からわかろう。
【００６０】
図１５は、支持部５４の実施形態を示す。図１４が支持部５４を後ろから示すのに対して、図１５の実施形態は、斜め前方から示される。支持マウント（support mount）６２は、支持部５４が保持棒５０において支持マウント６２と共に配置されるようここでは特に示されている。参照番号６３はネジ穴を示し、ここに例えば、保持棒５０上の支持部５４の横方向の位置を調整する調整ネジが提供されえる。この目的のために、対応する調整ネジは、ネジ穴６３内に挿入され、このネジの助けで支持部は例えばホルダの側壁に対して押さえられ調整されえる。よって支持部は、支持部５４のスロット６０が、引出ドロワー１８のスロット３２と対応するように調整される。
【００６１】
図１６は、仕分装置を後方から見た図を示す。支持部５４は、仕切２０のフック４６の保持棒５０との協働がわかるように取り除かれている。この局面において、フック４６は保持棒５０の周りに係合するのがわかろう。
【００６２】
図１７は、本発明によって作られた仕分コンパートメントの後部領域を前から見た図を示す。この図は、支持部５４と、保持棒５０と、仕切２０のフック４６との協働が明瞭になるよう引出ドロワーなしで示される。支持延長部５８が保持棒５０上にどのように位置するかがわかろう。仕切２０は、保持棒５０のすぐ前に位置し、すなわちフック４６がスロット６０内で保持棒５０の周りで引っかかる直前の状態である。
【００６３】
実施形態のホルダが図１８に示され、これは本発明によって設計された４つの仕分コンパートメント１４のために構成され、上下に並んで配置される。ネジ穴６４はそれぞれ、引出ドロワー１８の伸縮レールの締め付けの役割を果たす。開口６６は、それぞれの仕分コンパートメントの保持棒５０を受け入れる役割を果たす。最上段の仕分コンパートメントの保持棒のための開口は図では見えない。
【００６４】
個々の要素の可能な寸法が以下に述べられるが、これらはあくまで例示として理解されたい。
【００６５】
例えば枠１２は、約５０ｃｍから１００ｃｍの幅と、３５ｃｍの深さを有しえる。例えば約１３０ｃｍの高さは、図１８に示されるように本発明による仕分コンパートメントを４つ上下に受け入れえるホルダのために可能である。鋼でできた保持棒５０は例えば、１４ｍｍの直径を有する。ホルダ１２中のそれぞれの保持棒５０の高さは、対応する引出ドロワー内の仕切のフック４６のそれぞれの切り欠き４８の位置に対応するようそれぞれの場合で選択される。
【００６６】
支持部５４は、プラスチックから製造されえる。
【００６７】
仕切は例えば、約３５ｃｍの長さおよび約２１ｃｍの高さのプラスチック板によって形成される。下部領域において仕切は、図５および６からもわかるように、上向きにテーパが付けられる４ｍｍの厚さを有する。
【００６８】
引出ドロワー１８も同様に、プラスチック板からなり、例えば３５００ｃｍ３の容積を有する。
【００６９】
本発明による仕分装置は、以下のように組み立てられる。すなわち図１８に示されるように、保持棒５０はホルダ１２内の保持棒マウント６６に挿入される。伸縮レール（不図示）がネジ穴６４に取り付けられ、引出ドロワー１８を支え、引出ドロワーが受け面まで前に引き出されることを可能にする。図１による実施形態において、引出ドロワー１８は、下から２番目の仕分コンパートメント１４にだけ設けられる。
【００７０】
支持部５４は、それぞれの引出ドロワー１８について、またはそれぞれの保持棒５０について取り付けられ、支持マウント６２は保持棒５０上に設けられる。この点で支持部５４は、例えばホルダ１２の後壁に対して支持され、よって保持棒５０から滑ってはずれることはない。図に示されない調整機構を用い、支持部５４中のネジ穴６３（図１５）を利用することによって、支持部５４の横方向の位置は、支持部５４のスロット６０が、引出ドロワー１８の後壁３０中のスロット３２に対応するよう設定される。引出ドロワー１８を支える伸縮レールの公差は、このようにして補償される。支持部５４の調整ネジ穴６３に挿入される調整ネジは例えば、支持部５４をホルダ１２の側壁に対して締め付けえる。
【００７１】
使用中、ユーザは以下のように進みえる。すなわちユーザはまずそれぞれの仕切２０、２１、２２がどの程度の間隔を有すべきかを選ぶ。個々の仕切２０、２１、２２の間隔は、この点において、その間隔が個別の配達区域の郵便の量にほぼ個々に対応することによって、配達区域に関連付けられたそれぞれのサブコンパートメントが、対応する配達区域の典型的な郵便の量を２つの仕切の間に受け入れることができるように選ばれる。したがって異なるサブコンパートメントは、それらに関連付けられた配達区域の典型的な郵便の量にしたがって、異なる幅、およびよってそれらサブコンパートメントを区切る仕切の異なる間隔を有する。それからユーザは、引出ドロワー１８に対して仕切２０、２１、２２の第１設定をおこなう。この目的のために引出ドロワー１８は、最大伸長の約８０％まで引き出される。所望の間隔で仕切が挿入され、このとき突起４４は、選択された突起マウント３４に引っかけられ、仕切の後部端は、引出ドロワー１８の後壁３０の対応するスロット３２内に導かれる。図４に示されるような状態になる。仕切２０、２１、２２は、突起マウント３４内の突起４４、およびスロット３２によって堅固に保持される。ここで引出ドロワー１８は仕分コンパートメント１４内へ後ろに押し込まれ、仕切２０、２１、２２は、引出ドロワー１８と共に後方に動く。この押し込みプロセスの最後には、フック４６の丸められた外側４７は、保持棒５０に入り込む。フック４６の外側４７は、保持棒５０において上に滑り、最終的にフック開口４８は、保持棒５０上に配置される。例えば図１０または図１６に見られるように、それから仕切２０、２１、２２は、フック４６が保持棒５０の周りにおいて係合するよう再び下に落ちる。こんどは仕切２０、２１、２２のフック４６は、引出方向５２の仕切の動きがもはや可能ではないように、保持棒５０上の支持部５４のスロット６０内に配置される。
【００７２】
よって仕分ボックス１４は、ユーザの特定の要求に応じて装備されえる。サブコンパートメントは、その幅が個々の配達区域の典型的な郵便の量に個別に対応するよう特に形成される。典型的な郵便の量は変化しないため、概して、仕切の位置を変えることはもはや必要ない。しかし任意選択として仕切は、フック４６および保持棒５０の間の係合がはずれるように手で再び取り除かれてもよい。
【００７３】
ここで郵便物は、取り付けられた仕切を持つ、押し込まれた引出ドロワー１８の状態で仕分されえる。個々の郵便物は、配達区域に対応する個々のサブコンパートメントに置かれる。郵便物が個々のサブコンパートメントに完全に仕分されたあと、引出ドロワー１８は、伸縮レールの受け面まで引出方向５２に沿って、引出ハンドル３６において再び引き出される。仕切２０、２１、２２は、保持棒５０上に引っかかったままであり、よって引出ドロワー１８の最大伸長まで、区分部材（dividing members）としてのそれらの機能を完全に失う。これは図１０においてわかろう。図１０ａではそこに示される仕切２２は保持棒５０に引っかかっており、引出ドロワーはまだ引き出されておらず、図１０ｂでは引出ドロワーが引出方向に引き出されるが、仕切２２は保持棒５０に引っかかったままである。図１０ｃは、引出ドロワー１８が完全に引き出されて、仕切２２が引出ドロワー１８内でもはや区分する機能を果たしていない状態を示す。仕切２２は、ガイドスタブ３８、および後方に曲げられた後壁３０の上部端によって、脱落しないように留められる。
【００７４】
図７の状態から始まり、図９および図１１〜１３の順番で引出プロセスは、再び詳細に示される。図７では突起４４は、まだ突起マウント３４内にある。図９では引出ドロワー１８が少し引き出され、突起４４の鼻状延長部は、もはや突起マウント３４に引っかかっていない。図１１は、引出方向５２に引出ドロワーをさらに引き出すことによって、突起４４の傾斜が付けられた後部端４５が、仕切２０の突起４４が突起マウント３４から滑り出ることによって、仕切が前部領域においてわずかに上へ動く様子を示す。図１２は、図１０ｂに対応する状態を示す。図１３は、引出ドロワー１８が完全に引き出された状態であることを示す。仕切２０は、もはや引出ドロワー１８内に延びておらず、引出ドロワー１８はいまや何も区分するものがない（任意選択として設けられる中央壁２８を除く）ことがわかろう。
【００７５】
ここでユーザは、引出ドロワー内に手を入れ、仕分された郵便物をまとめて、引出ドロワー１８の側壁２６に、または中央壁２８に押しやることができる。側壁および中央壁２８の間の引出ドロワーに関連付けられた郵便物の全ては、１ステップで取り除かれえ、例えば郵便袋内に仕分された状態で入れられえる。
【００７６】
したがって配達区域に関連付けられた仕分コンパートメントの全てのサブコンパートメントを一つ一つ別々に空にして、郵便袋にその内容を移す必要がない。よって仕分プロセス、特に仕分コンパートメントから取り出すプロセスは、引出ドロワーなしの仕分コンパートメントよりも相当に簡略化され、大幅に短い時間でなされえる。
【００７７】
取り出された後、引出ドロワー１８は、再び仕分コンパートメント１４内に押し戻され、仕切２０、２１、２２は再びそれらの区分する機能を取り戻し、仕切の突起４４は、引出ドロワー１８の基台２４中の突起マウント３４内に引っかかる。例えば図７の状態が再び起こり、ここで引出ドロワー１８は、仕切によってサブコンパートメントに区分される。ここで仕分装置はさらなる仕分プロセスのために準備ができたことになる。
【００７８】
本仕分装置は、機械的に動作し、したがって非常にコスト効率が良く、堅固である。
【図面の簡単な説明】
【００７９】
【図１】本発明の実施形態による郵便物仕分の応用例の実施形態の前面透視図である。
【図２】本発明による実施形態の引出ドロワーの斜め前方から見た図である。
【図３】図２の引出ドロワーを斜め後ろから見た図である。
【図４】異なるように挿入された仕切を持つ引出ドロワーの詳細図である。
【図５】本発明による実施形態の仕切の図である。
【図６】本発明による実施形態の仕切の異なる局面の図である。
【図７】本発明による実施形態の仕分コンパートメントの前から見た平面図である。
【図８】図７に示される実施形態の詳細の拡大図である。
【図９】図７に示される実施形態の引出ドロワーの詳細図である。
【図１０】本発明による実施形態の引出ドロワーを引き出すプロシージャの動きを示す図である。
【図１１】図７に示される実施形態の引出ドロワーを引き出すあいだの詳細な図である。
【図１２】引き出すあいだの、より後の時刻における詳細図である。
【図１３】引出ドロワーを引き出したときの詳細図である。
【図１４】後壁がない本発明による仕分装置を後ろから見た図である。
【図１５】本発明による実施形態の支持部の図である。
【図１６】支持部を取り除いた本発明による仕分プラントを後ろから見た詳細図である。
【図１７】引出ドロワーが省略された支持部の領域における本発明による仕分装置の仕分コンパートメントを前から見た図である。
【図１８】本発明による実施形態のホルダの透視図である。
【符号の説明】
【００８０】
１０    仕分装置
１２    ホルダ、枠
１４    仕分コンパートメント
１６    仕分コンパートメント
１７    棚板
１８    引出ドロワー
２０、２１、２２    仕切
２３    テーブル
２４    引出ドロワーの基台
２６    側壁
２８    中央壁
３０    引出ドロワーの後壁
３２    後壁のスロット
３４    突起マウント
３５    引出ドロワーの後壁からの突起マウントの距離
３６    引出ハンドル
３８    ガイドスタブ
４０    突起マウントの狭い領域
４２    マーキング
４３    仕切の後部端
４４    突起
４５    突起の面取りされた端部
４６    フック
４７    丸められたフックの外側
４８    フックの開口
４９    仕切の後部端からの突起の距離
５０    保持棒
５２    引出方向
５４    支持部
５６    支持キャリヤ
５８    支持延長部
６０    スロット
６２    支持マウント
６３    調整ネジ穴
６４    ネジ穴
６６    保持棒マウント
【国際調査報告】
2009526721.tif 000021
2009526721.tif 000022
2009526721.tif 000023
2009526721.tif 000024
2009526721.tif 000025
2009526721.tif 000026